(57)【要約】      （修正有）【課題】アルミ材の露出体で形成されているゴルフカートのアームの損傷を防止すると同時に、搭乗者の負傷を防止する、アーム用プロテクタを提供する。【解決手段】ゴルフカートの座席横のサイドアーム及びまたは前部座席の背部のフロントアームの外周面を覆うプロテクタを、内外二層に形成されているものとし、内層１を弾性に富んだ肉厚の樹脂発泡材で形成し、その外周面を覆う被覆層２を耐水性に富んだ樹脂シート材で形成し、かつ、アームに対して着脱自在に装着できる構造とする。【選択図】図４
0003160452.tif 000002
【実用新案登録請求の範囲】
【請求項１】
ゴルフカート(C)の座席横のサイドアーム(A)及びまたは前部座席の背部のフロントアーム(B)の外周面を覆わせて、当該アームの発銹と損傷を防止すると同時に、搭乗者の負傷を防止する弾性を備えさせてある構造としたゴルフカートのアーム用プロテクタ。
【請求項２】
ゴルフカート(C)の座席横のサイドアーム(A)及びまたは前部座席の背部のフロントアーム(B)の外周面を覆わせて、当該アームの発銹と損傷を防止すると同時に、搭乗者の負傷を防止する弾性を備えさせてある構造としたゴルフカートのアーム用プロテクタ(P)であって、内外二層に形成され、内層(1)が弾性に富んだ肉厚の樹脂発泡材で形成され、その外周面を覆う被覆層(2)が耐水性に富んだ樹脂シート材で形成され、かつ、アームに対して着脱自在に装着される構造としてあるゴルフカートのアーム用プロテクタ。
【請求項３】
ゴルフカート(C)の座席横のサイドアーム(A)及びまたは前部座席の背部のフロントアーム(B)の外周面を覆わせて、当該アームの発銹と損傷を防止すると同時に、搭乗者の負傷を防止する弾性を備えさせてある構造としたゴルフカートのアーム用プロテクタ(P)であって、内外二層に形成され、内層(1)が弾性に富んだ肉厚の樹脂発泡材で形成され、その外周面を覆う被覆層(2)が耐水性に富んだ樹脂シート材で、その遊端縁部分(21，22)に取り付けられた面ファスナー(3a，3b)によって、アームに対して着脱自在に装着される構造としてあるゴルフカートのアーム用プロテクタ。
【請求項４】
ゴルフカート(C)の座席横のサイドアーム(A)及びまたは前部座席の背部のフロントアーム(B)の外周面を覆わせて、当該アームの発銹と損傷を防止すると同時に、搭乗者の負傷を防止する弾性を備えさせてある構造としたゴルフカートのアーム用プロテクタ(P)であって、内外二層に形成され、内層(1)が弾性に富んだ肉厚の樹脂発泡材で形成され、その外周面を覆う被覆層(2)が耐水性に富んだ樹脂シート材で、アームに対して着脱自在に装着される構造としてあり、かつ、その略全域または一部に宣伝広告部(4)が形成されている構造としてあるゴルフカートのアーム用プロテクタ。
【考案の詳細な説明】
【技術分野】
【０００１】
本考案は、近年急速に普及しているゴルフ場の乗用カートのアームの外周面に取り付けて、その外傷と発銹を防止し、同時に搭乗者の打撲を軽減するためのアーム用プロテクタに関するものである。
【背景技術】
【０００２】
従来からこの種ゴルフ場の乗用カートにおけるアームは、ほぼ例外なくアルミパイプを適宜形状に曲げ加工したものであって、その多くはアルミ材を被覆することなく露出させてある形状としてある。このことは下記の特許文献１にも示されている通りである。
【先行技術文献】
【特許文献】
【０００３】
【特許文献１】特開平１１−２１６２１４号公報
【考案の概要】
【考案が解決しようとする課題】
【０００４】
これら従来のゴルフ場における乗用カートにあっては、前後座席の横に形成されたサイドアームも、前部座席の背部で後部座席の前方に形成されたフロントアームも、何れもがアルミパイプで曲げ加工された、アルミ材の露出体で形成されている。
【０００５】
そのため、これらのアームは降雨の飛沫と洗浄散水とによって、短期間に発銹し易く、表面の円滑性が損なわれ易いものとなっている。一旦発銹すると微細粒子がアームの表面に誘出され、手触りが低下する。他方、カートの搭乗者であるゴルファーは、時としてカートに急いで乗りこむ際にサイドアームへ衝突したり、接触して摺擦したりすることがある。そのため、アームを損傷したり、搭乗者が負傷したりすることがある。
【０００６】
そこで、本考案は、このような従来のアルミ材の露出体で形成されているアームの損傷を防止すると同時に、搭乗者の負傷を防止するため、アームの外周面を弾性を備えたプロテクタで覆って保護することをここに提案しようとするものである。
【課題を解決するための手段】
【０００７】
該目的を達成するために講じた本考案の請求項１に記載のゴルフカートのアーム用プロテクタの構成を説明すると、ゴルフカートＣの座席横のサイドアームＡ及びまたは前部座席の背部のフロントアームＢの外周面を覆わせて、当該アームの発銹と損傷を防止すると同時に、搭乗者の負傷を防止する弾性を備えさせてある構造としたものである。
【０００８】
また、請求項２に記載のゴルフカートのアーム用プロテクタの構成は、ゴルフカートＣの座席横のサイドアームＡ及びまたは前部座席の背部のフロントアームＢの外周面を覆わせて、当該アームの発銹と損傷を防止すると同時に、搭乗者の負傷を防止する弾性を備えさせてある構造としたゴルフカートのアーム用プロテクタＰであって、内外二層に形成され、内層１が弾性に富んだ肉厚の樹脂発泡材で形成され、その外周面を覆う被覆層２が耐水性に富んだ樹脂シート材で形成され、かつ、アームに対して着脱自在に装着される構造としたものである。
【０００９】
また、請求項３に記載のゴルフカートのアーム用プロテクタの構成は、ゴルフカートＣの座席横のサイドアームＡ及びまたは前部座席の背部のフロントアームＢの外周面を覆わせて、当該アームの発銹と損傷を防止すると同時に、搭乗者の負傷を防止する弾性を備えさせてある構造としたゴルフカートのアーム用プロテクタＰであって、内外二層に形成され、内層１が弾性に富んだ肉厚の樹脂発泡材で形成され、その外周面を覆う被覆層２が耐水性に富んだ樹脂シート材で、その遊端縁部分２１，２２に取り付けられた面ファスナー３ａ，３ｂによって、アームに対して着脱自在に装着される構造としたものである。
【００１０】
更に、請求項４に記載のゴルフカートのアーム用プロテクタの構成は、ゴルフカートＣの座席横のサイドアームＡ及びまたは前部座席の背部のフロントアームＢの外周面を覆わせて、当該アームの発銹と損傷を防止すると同時に、搭乗者の負傷を防止する弾性を備えさせてある構造としたゴルフカートのアーム用プロテクタＰであって、内外二層に形成され、内層１が弾性に富んだ肉厚の樹脂発泡材で形成され、その外周面を覆う被覆層２が耐水性に富んだ樹脂シート材で、アームに対して着脱自在に装着される構造としてあり、かつ、その略全域または一部に宣伝広告部４が形成されている構造としたものである。
【考案の効果】
【００１１】
本考案の請求項１にいうところのゴルフカートのアーム用プロテクタは、ゴルフカートの座席横のサイドアームや前部座席の背部のフロントアームの外周面を覆わせて、当該アームの損傷を防止すると同時に、搭乗者の負傷を防止する弾性を備えさせたものであるから、アームの発銹を遅延させ外傷から保護させることができ、搭乗者の打ち身や擦り傷の発生を大幅に減少させることができる利点がある。
【００１２】
また、本考案の請求項２にいうところのゴルフカートのアーム用プロテクタは、ゴルフカートの座席横のサイドアームや前部座席の背部のフロントアームの外周面を覆わせるプロテクタを、内外二層に形成されているものとし、内層が弾性に富んだ肉厚の樹脂発泡材で形成され、その外周面を覆う被覆層が耐水性に富んだ樹脂シート材で形成されていて、かつ、アームに対して着脱自在に装着することができる構造としてあるので、アームの発銹を遅延させ外傷から保護し、搭乗者の打ち身や擦り傷の発生を大幅に減少させることができることのみならず、このプロテクタを定期的に取り替えたり、損傷の激しいものを順次新品と交換することによって、清潔感のあるゴルフカートを継続して使用することができるという効果がある。
【００１３】
本考案の請求項３にいうところのゴルフカートのアーム用プロテクタは、内外二層に形成してある、内層の外周面を覆う被覆層の構造を、シート材の遊端縁部分に取り付けられた面ファスナーによって、アームに対して着脱自在に装着させる構造としたものであるから、円周方向のサイズを、アームへの取付時に円周径の大きさの調整が所定幅内で自由に調整して取り付けることができるので、ジッパーの場合のように、アームの外周径にぴったりと合うように精密に形成する必要がなく、アームへの取り付けを常にぴったりと行うことができる効果がある。そのため、プロテクタの定期的な取り替えや、損傷の激しいものと新品との交換が容易迅速に行い得るという効果がある。
【００１４】
本考案の請求項４にいうところのゴルフカートのアーム用プロテクタは、プロテクタの略全域または一部に宣伝広告部が形成されているものとしてあるので、当該ゴルフ場や企業の宣伝広告が容易にできるという利点のみならず、当該宣伝広告部の広告内容を適宜変更したり、宣伝内容や広告内容を変えたプロテクタとの交換が容易迅速にできるという効果を有する。
【図面の簡単な説明】
【００１５】
【図１】第１実施例のプロテクタを装着したゴルフカートを示す全体斜視図。
【図２】図１の要部を拡大して示したゴルフカートの拡大斜視図。
【図３】プロテクタの素材を説明する斜視図。
【図４】プロテクタの構造を説明する斜視図。
【図５】他のプロテクタの外観を示す正面図。
【図６】更に他のプロテクタの外観を示す正面図。
【図７】図５のプロテクタを装着したゴルフカートの図２相当の斜視図。
【考案を実施するための形態】
【００１６】
上記のような構成とした本考案のプロテクタを実施するに当たって、該プロテクタの弾性を司る素材としては、例えば、クッション性に優れている点で発泡ポリウレタンが好ましい。また、この弾性素材を外周面から保護し、プロテクタの外観を形成する素材シートとしては、例えば、ポリエチレン・ポリプロピレン製のシートが耐候性に優れている点と入手容易性の点で好ましいが、ポリアミド製シートも耐摩耗性・耐寒性・耐衝撃性に優れている点で好ましい素材シートである。しかしながら、これらの素材は例示であって素材を限定する意図の記載ではない。
【００１７】
また、この外層シートのアームへの取り付け取り外し手段としては、面ファスナーのみに限らず、前記のジッパーを使用したものでもよく、クリップやフックを使用したり、リング金具を取り付けて、リングに紐を通して締め付ける等、一般に周知の取付手段を使用して取り付ければよい。
【実施例１】
【００１８】
以下添付の図面に基づいて第１実施例を説明する。該第１実施例に示したゴルフカートＣは、ゴルフ場において広く使用されている。このゴルフカートＣは、図１に全体の概形を示したように、通常は４人乗りか６人乗りのものが多用されている。これらのカートＣは、一般的には前後に座席シートＳ，Ｓが設けられ、それぞれの左右にサイドアームＡが設けられている。また、前部座席の背部にはフロントアームＢが設けられている。
【００１９】
本考案にいうところのゴルフカートのアーム用プロテクタＰは、同図１及び、該図１の主要部を拡大して示した図２において、黒く塗り潰して表示したように、これらのサイドアームＡやフロントアームＢの外周面を覆うように取り付けて使用するものである。
【００２０】
このサイドアームＡの外周面に取り付けて使用するプロテクタＰとフロントアームＢの外周面に取り付けて使用するプロテクタＰとは、長さを異ならせてあるだけで、その構造は同じものとしてある。
【００２１】
而して、このプロテクタＰは、図３に示したように、該実施例のものにあっては、独立気泡に発泡させた厚さ約１５ｍｍのポリウレタンスポンジ材シートを、所要の幅、即ちここではサイドアームＡの外周径とほぼ等しい幅で、必要長さに裁断し、予め円形になるように加熱賦形させて弾性に富んだ内層１の形成用部材を形成する。
【００２２】
他方、ポリエチレンシートの背面に補強用編組膜を熱融着させたシートを素材として、前記内層１の外周幅とほぼ同幅とし、長さもほぼ同長となるように裁断して被覆層２の形成部材の主体を形成する。更に、この部材の長さ方向に沿った遊端縁部分２１，２２に、全長に亘って雌雄の面ファスナー３ａ，３ｂを取り付ける。このようにして、被覆層２の構成体を形成する。
【００２３】
このようにした内層１の形成用部材と被覆層２の構成体とを、図４に示したように、内外二重層となるようにゴルフカートＣの所要アーム上に重ねて、前記面ファスナー３ａ，３ｂどうしを押しつけて取り付けることによってプロテクタＰとする。
【実施例２】
【００２４】
図５及び図６は、このような構造としたプロテクタＰの被覆層２の表面に、適宜の面積部分を備えた宣伝広告部４を形成してあるものである。この宣伝広告部４は、被覆層２の外表面材の全体または必要部分を透明材とするか、または、前記構造としたプロテクタＰの外周面の全体または必要部分を透明材で覆って、宣伝広告部４を外部と直接接触できない構造としておくのが好ましい。図７は、このようにしたプロテクタＰをゴルフカートＣのサイドアームＡに取り付けた状態を示したものである。
【００２５】
以上本考案の代表的と思われる実施例について説明したが、本考案はこの実施例のもののみに限定されるものではなく、本考案の構成要件を充足し、目的を達成し、効果を有する範囲内において適宜に改変して実施することができるものである。
【符号の説明】
【００２６】
１  内層
２  被覆層
３ａ  面ファスナー
３ｂ  面ファスナー
４  宣伝広告部
２１  被覆層遊端縁部分
２２  被覆層遊端縁部分
Ａ  サイドアーム
Ｂ  フロントアーム
Ｃ  ゴルフカート
Ｐ  プロテクタ
【図１】
0003160452.tif 000003
【図２】
0003160452.tif 000004
【図３】
0003160452.tif 000005
【図４】
0003160452.tif 000006
【図５】
0003160452.tif 000007
【図６】
0003160452.tif 000008
【図７】
0003160452.tif 000009